(57)【要約】【課題】情報端末機器の電話帳のメモリを有効的に活用し、更に使い易い電話帳を提供する。【解決手段】書式の異なる電話帳ファイルを複数個有し、ユーザーは登録内容の大小に応じて書式「大」、「中」、「小」を選択して登録となるようにし、書式間でデータのコピーや転送を可能にする。また書式ごとにシークレット電話帳ファイル、着信拒否電話帳ファイル、着信許可電話帳ファイルを設定し、シークレット登録、着信拒否登録、着信許可登録はそのまま実行され、呼び出しは暗証番号の入力を必要とするものである。更に着信表示判定プログラムを設け、電話帳に未登録の相手で発信者番号通知有りでかつ呼び出し時間が一秒程度の短時間の着信時、または着信拒否設定の相手からの着信時は表示部に着信表示しない、また着信履歴ファイルにも記録しないようにしたものである。【選択図】　図１
2004048412.tif 000002
【特許請求の範囲】
【請求項１】
通信機能を有する情報端末機器において、
書式の異なる電話帳ファイルを複数個設け、
異なる電話帳ファイルへのコピーまたは転送を可能とする手段と、
書式「小」の電話帳ファイルから書式「大」へのコピーまたは転送は書式「小」の全内容を、また書式「大」から書式「小」へのコピーまたは転送は書式「小」に該当する内容を実行する手段と、
を、備えたことを特徴とする電話帳システム。
【請求項２】
通信機能を有する情報端末機器において、
電話帳ファイルが一つの時はグループ番号の何れかにシークレットグループを設定し、電話帳ファイルが複数個の時は電話帳ファイルの何れかにシークレット電話帳ファイルを設定し、
登録時前記シークレットグループまたはシークレット電話帳ファイルを選択することでそのまま登録となる手段と、
シークレットグループまたはシークレット電話帳ファイルを呼び出す時は暗証番号の入力を必要として一致した時のみ呼び出し可能となる手段と、
を、備えたことを特徴とする電話帳システム。
【請求項３】
通信機能を有する情報端末機器において、
電話帳ファイルが一つの時はグループ番号ごとに着信履歴ファイルと発信履歴ファイルを設け、電話帳ファイルが複数個の時は電話帳ファイルごとに着信履歴ファイルと発信履歴ファイルを設け、
通話終了時前記着信履歴ファイルまたは発信履歴ファイルにそれぞれ自動的に記録する手段と、
シークレット登録の相手との着信履歴（以下シークレット着信履歴ファイルという）または発信履歴（以下シークレット発信履歴ファイルという）を呼び出す時は暗証番号の入力を必要とし一致した時のみ呼び出し可能となる手段と、
を、備えたことを特徴とする電話帳システム。
【請求項４】
通信機能を有する情報端末機器において、
電話帳ファイルが一つの時はグループ番号の何れかに着信拒否グループを設定し、電話帳ファイルが複数個の時は電話帳ファイルの何れかに着信拒否電話帳ファイルを設定し、
登録時前記着信拒否グループまたは着信拒否電話帳ファイルを選択することでそのまま登録となる手段と、
着信拒否グループまたは着信拒否電話帳ファイルを呼び出す時は暗証番号の入力を必要とし一致した時のみ呼び出し可能となる手段と、
前記着信拒否グループまたは着信拒否電話帳ファイルに登録の相手からの電話の着信またはメールの受信を拒否する手段と、
を、備えたことを特徴とする電話帳システム。
【請求項５】
通信機能を有する情報端末機器において、
電話帳ファイルが一つの時はグループ番号の何れかに着信拒否グループを設定し、電話帳ファイルが複数個の時は電話帳ファイルの何れかに着信拒否電話帳ファイルを設定し、
着信拒否グループまたは着信拒否電話帳ファイルの相手番号登録欄に電話番号またはメールアドレスのどちらかの登録を可能とする手段と、
登録時前記着信拒否グループまたは着信拒否電話帳ファイルを選択することで相手番号登録欄に電話番号またはメールアドレスがそのまま登録となる手段と、着信拒否グループまたは着信拒否電話帳ファイルを呼び出す時は暗証番号の入力を必要とし一致した時のみ呼び出し可能となる手段と、
前記着信拒否グループまたは着信拒否電話帳ファイルに登録の相手からの電話の着信またはメールの受信を拒否する手段と、
を、備えたことを特徴とする電話帳システム。
【請求項６】
通信機能を有する情報端末機器において、
電話帳ファイルが一つの時はグループ番号の何れかに着信許可グループを設定し、電話帳ファイルが複数個の時は電話帳ファイルの何れかに着信許可電話帳ファイルを設定し、
登録時前記着信許可グループまたは着信許可電話帳ファイルを選択することでそのまま登録となる手段と、着信許可グループまたは着信許可電話帳ファイルを呼び出す時は暗証番号の入力を必要とし一致した時のみ呼び出し可能となる手段と、
着信許可設定時に前記着信許可グループまたは着信許可電話帳ファイルに登録の相手だけの着信を許可となる手段と、
を、備えたことを特徴とする電話帳システム。
【請求項７】
通信機能を有する情報端末機器において、
電話帳ファイルの書式に着信日時欄および発信日時欄を設け、通話終了時前記電話帳ファイルに自動的に着信日時または発信日時を順次上書き記録する手段と、
を、備えたことを特徴とする電話帳システム。
【請求項８】
電話の着信を表示部に表示する機能を有する情報端末機器において、
メモリ部に着信表示判定プログラムを有し、
電話帳に未登録の相手で、発信者番号通知有りで、かつ呼び出し時間が一秒程度の短時間の着信時、または着信拒否設定の相手からの着信時は表示部に着信表示をしない、また着信履歴ファイルにも記録しない手段、
を、備えたことを特徴とする情報端末機器。
【発明の詳細な説明】
【０００１】
【発明の属する技術分野】
本発明は、携帯電話機等の電話帳に関するもので、詳しくは電話帳を保存するメモリの効率的使用法と電話帳の使い易さに関するものである。
【０００２】
【従来の技術】
携帯電話機等の電話帳は、名前・フリガナ・電話番号・メールアドレス・グループ番号・シークレット有無・住所・生年月日・メモ・血液型・ＵＲＬ等が登録でき、電話帳一件当たり５００文字、登録件数は１０００件にまでに増大し、電話帳のメモリ容量は５０万文字にも達している。従来の電話帳のファイル形式はいずれもが一種類で登録内容と登録件数の乗算でメモリ容量が決まり、メモリ容量の増加は加速度的であった。
【０００３】
電話帳の利用方法も年々改善が加えられ、メモリ指定着信拒否、メモリ指定着信許可、音声ダイヤル電話帳等の設定に利用されている。これらの機能を利用するには一旦電話帳に登録してそれぞれの機能をＯＮ設定することで機能を果たすものである。また特許第２８２８０２８号に、数人で共用できることを目的に電話帳ファイルを分割して利用可能者を登録して、利用者ごとに電話帳を割り当て暗証番号でのみ呼び出しできるようにしたものが開示されている。これは一つの電話帳ファイルを数人で分けて利用するようにしたものであり、本発明は異なる電話帳の書式を数種類設定し、登録相手に合わせて電話帳登録しようとするものである。
【０００４】
また携帯電話機のメモリ容量は電話帳のみならず受信メール・発信メール・メロディ・画像・ゲーム・辞書等にわたり年々登録容量が増大し、高容量のメモリを必要として現在では６４メガビットのＦＲＯＭを数個必要になり、製品価格高騰の要因になっていた。
【発明が解決しようとする課題】
【０００５】
従来の電話帳は、グループ番号・シークレット有無・着信拒否・着信許可等の分類があり、一つのグループ番号の中にシークレット有りと無しがあり、更に着信拒否と着信許可の名前の混在があり、たいへん煩わしいものであった。
【０００６】
本発明は、上記事情に鑑みてなされたもので、電話帳のメモリ容量を効率的に利用し、かつ使い易い使用方法を提供することを目的とする。
【課題を解決するための手段】
【０００７】
本発明は、書式の異なる電話帳ファイルを複数個設定し、用途に合わせて電話帳登録しようとするものである。例えば親しい相手は書式「大」の電話帳ファイルにたくさんの内容を書き込めるようにし、通常の相手は書式「中」に、また着信を拒否したい相手は書式「小」の簡単な内容にと、使い分けて登録出来るようにしたものである。ここで書式とは名前・フリガナ・電話帳・メールアドレス等の登録内容のことで、書式「大」はその登録内容が最も多く、書式「小」は最も登録が少ないことを意味する。
【０００８】
また本発明は、異なる電話帳ファイル間でデータのコピーや転送を可能としたことである。書式「小」から書式「大」へ、また書式「大」から書式「小」へのコピーまたは転送を可能とするものである。
【０００９】
また本発明は、電話帳ファイルが一つの時はグループ番号の何れかにシークレットグループを設定し、電話帳ファイルが複数個の時は電話帳ファイルの何れかにシークレット電話帳ファイルを設定し、登録時前記シークレットグループまたはシークレット電話帳ファイルを選択することでそのまま登録とし、シークレットグループまたはシークレット電話帳ファイルを呼び出す時は暗証番号の入力を必要として一致した時のみ呼び出し可能としたものである。
【００１０】
また本発明は、電話帳ファイルが一つの時はグループ番号ごとに着信履歴ファイルと発信履歴ファイルを設け、電話帳ファイルが複数個の時は電話帳ファイルごとに着信履歴ファイルと発信履歴ファイルを設け、通話終了時前記着信履歴ファイルまたは発信履歴ファイルにそれぞれに記録し、シークレット着信履歴ファイルまたはシークレット発信履歴ファイルを呼び出す時は暗証番号の入力を必要とし一致した時のみ呼び出し可能としたものである。
【００１１】
また本発明は、電話帳ファイルが一つの時はグループ番号の何れかに着信拒否グループを設定し、電話帳ファイルが複数個の時は電話帳ファイルの何れかに着信拒否電話帳ファイルを設定し、登録時前記着信拒否グループまたは着信拒否電話帳ファイルを選択することでそのまま登録とし、着信拒否グループまたは着信拒否電話帳ファイルを呼び出す時は暗証番号の入力を必要とし一致した時のみ呼び出し可能として、前記着信拒否グループまたは着信拒否電話帳ファイルに登録の相手からの電話の着信、またはメールの受信を拒否しようとしたものである。
【００１２】
また本発明は、電話帳ファイルが一つの時はグループ番号の何れかに着信拒否グループを設定し、電話帳ファイルが複数個の時は電話帳ファイルの何れかに着信拒否電話帳ファイルを設定し、着信拒否グループまたは着信拒否電話帳ファイルの相手番号登録欄に電話番号またはメールアドレスのどちらかの登録を可能とし、登録時前記着信拒否グループまたは着信拒否電話帳ファイルを選択することで相手番号登録欄に電話番号またはメールアドレスがそのまま登録とし、着信拒否グループまたは着信拒否電話帳ファイルを呼び出す時は暗証番号の入力を必要とし一致した時のみ呼び出し可能として、前記着信拒否グループまたは着信拒否電話帳ファイルに登録の相手からの電話の着信、またはメールの受信を拒否しようとしたものである。
【００１３】
また本発明は、電話帳ファイルが一つの時はグループ番号の何れかに着信許可グループを設定し、電話帳ファイルが複数個の時は電話帳ファイルの何れかに着信許可電話帳ファイルを設定し、登録時前記着信許可グループまたは着信許可電話帳ファイルを選択することでそのまま登録とし、着信許可グループまたは着信許可電話帳ファイルを呼び出す時は暗証番号の入力を必要とし一致した時のみ呼び出し可能として、着信許可設定時に前記着信許可グループまたは着信許可電話帳ファイルに登録の相手だけの着信を許可となるようにしたものである。
【００１４】
また本発明は、電話帳ファイルの書式に着信日時および発信日時欄を設け、通話終了時前記電話帳ファイルに自動的に着信日時または発信日時を順次上書き記録するようにしたものである。
【００１５】
また本発明は、メモリ部に着信表示判定プログラムを設け、電話帳に未登録の相手で発信者番号通知有りでかつ呼び出し時間が一秒程度の短時間の着信時、または着信拒否設定の相手からの着信時は表示部に着信表示をしない、また着信履歴にも記録しないようにしたものである。
【発明の実施の形態】
【００１６】
以下、図面を参照して本発明の実施の形態を説明する。本発明は主として通信機能を有する情報端末機器に適用されるものであり、本実施形態では携帯電話機の構成を例にして説明を行う。図１は本発明の一実施形態に係る携帯電話機の構成を示すブロック図である。
【００１７】
本実施形態の携帯電話機は、アンテナ１０１、アンテナ共用器１０２、受信部１０３、発信部１０４、制御部１０５、音声部１０６、スピーカ１０７、マイク１０８、バイブレータ１０９、駆動回路１１０、内蔵電池１１１、メモリ１１２、ＳＲＡＭ１１３、ＦＲＯＭ１１４、電話帳／履歴ファイル１１４ａ、着信表示判定プログラム１１４ｂ、ＤＲＡＭ１１５、表示部１１６、操作入力部１１７、電源ＩＣ１１８、ベースバンドＩＣ１１９、時計ＩＣ１２０、水晶１２１、ＦＥＴ１２２、充電アダプタ１２３、電池パック１２４を有して構成される。
【００１８】
通話時には、アンテナ１０１で受信された受信信号がアンテナ共用器１０２を介して受信部１０３に入力されて復調される。この復調信号はベースバンドＩＣ１１９で復号化などの処理がなされた後、音声部１０６によりアナログ化されて受話用のスピーカ１０７より音声出力される。一方、送話用のマイク１０８より入力された通話音声は音声部１０６より音声情報としてベースバンドＩＣ１１９に送られて符号化などの処理がなされる。符号化された送信データは発信部１０４で変調されて電力増幅され、アンテナ共用器１０２を介してアンテナ１０１から送信される。
【００１９】
表示部１１６は、液晶表示パネル（ＬＣＤ）等からなり、通常、現在の日付や時刻、受信感度、電話帳呼び出し時の名前一覧、着信履歴表示、発信履歴表示、着信時の着信表示などを表示する。さらにユーザーがボタン操作で入力した電話番号や暗証番号なども表示される。
【００２０】
操作入力部１１７は、押圧操作するボタンキー等からなり、ユーザーによる通話相手先の番号や電子メールの文字情報などの入力操作、各種設定操作、受話／終話操作などを制御部１０５が検出し、入力情報を得るようになっている。また電源スイッチ（図示せず）は操作入力部１１７の中にあり、ユーザー操作によって携帯電話機の電源をＯＮ／ＯＦＦする押圧スイッチであり、長押し（例えば２秒程度）することによって制御部１０５が設定時間押圧されたことを検出してプログラムが動作し、電話が正しく使用できる状態にセットアップされる。
【００２１】
ＦＲＯＭ１１４は、プログラム記憶手段として機能し、制御部１０５が各種の制御を行うための制御プログラム、例えばシークレットモード（開錠状態）か平常モード（施錠状態）かを判別したり、着信時電話帳に登録の相手かを判別する。更に発信者番号通知が付加されているかを判別したりする。また電話帳／履歴ファイル１１４ａ・着信表示判定プログラム１１４ｂ・メールファイル・各種ファイル等を有し、ユーザーが書き込んだ電話帳データ、または受信メール・発信メール、更にダウンロードしたゲーム・メロディ・画像データ等が保存される。
【００２２】
ＳＲＡＭ１１３には時計時刻情報や各種設定状態などが保存される。ユーザーが電池パック１２４を外しても設定状態が消えないように内蔵電池１１１が接続され記録内容が消えないように保持する。
【００２３】
ＤＲＡＭ１１５はワークメモリと呼ばれるもので、ＦＲＯＭ１１４に記録された電話帳データなどを一旦ＤＲＡＭ１１５に貯えられ表示部１１６に表示されるが電源ＯＦＦによって記憶内容は消去される。
【００２４】
図２、図３、図４、図５、図６は本発明の一実施形態に係る電話帳の登録内容を表形式で表わしたもので、図２は書式「大」、図３は書式「中」、図４は書式「小」の登録例である。また図５は書式「大」と「中」と「小」を説明のために組み合わせたもので、実際のファイルは繋がっていない。右側下部の薄塗布部は削減されたメモリ容量を表わす。また図６は電話帳の書式の一例を表わしたものである。本実施形態では、予め書式の異なる電話帳ファイル、例えば書式「大」にシークレット電話帳ファイル、書式「中」に通常電話帳ファイル、書式「小」に着信拒否電話帳ファイルを設定して出荷する場合を例に説明する。
【００２５】
図２のシークレット電話帳ファイルと図７の電話帳／履歴ファイル１１４ａについて説明する。図７は電話帳ファイルが複数個有する場合の電話帳／履歴ファイル１１４ａの構造図である。シークレット電話帳ファイル７０２は最も大切な相手を他人に知られないようにするための電話帳ファイルで、予めシークレット設定される。登録は通常の電話帳登録手段および着信表示、着信履歴ファイル７０９または発信履歴ファイル７１０の表示画面から登録モードを選択して次にシークレット電話帳ファイル７０２を選択することで実行される。登録内容は名前・電話番号・メールアドレス・フリガナ・住所・生年月日・メモである。通話記録はシークレット着信履歴ファイル７０３またはシークレット発信履歴ファイル７０４に自動的に記録される。以降シークレット登録された相手とのシークレット着信履歴ファイル７０３、シークレット発信履歴ファイル７０４およびシークレット電話帳７０２ファイルの呼び出しは暗証番号７０１を入力して一致した時のみ可能となる。またグループ番号１１、１２、１３……を付与しているのでグループ番号による呼び出しも可能である。
【００２６】
図３の通常電話帳ファイルと図７の電話帳／履歴ファイル１１４ａについて説明する。通常電話帳ファイル７０８は他人に見られても差し支えない一般的な相手をそのまま登録するものである。登録は通常の電話帳登録手段および着信表示、着信履歴ファイル７０９または発信履歴ファイル７１０の表示画面から登録モードを選択して次に通常電話帳ファイル７０８を選択することで実行される。登録内容は名前・電話番号・メールアドレス・フリガナである。通話記録は着信履歴ファイル７０９または発信履歴ファイル７１０に自動的に記録される。通常電話帳ファイル７０８の呼び出しはそのまま呼び出しが可能である。またグループ番号２１、２２、２３……を付与しているのでグループ番号による呼び出しも可能である。
【００２７】
図４の着信拒否電話帳ファイルと図７の電話帳／履歴ファイル１１４ａについて説明する。着信拒否電話帳ファイル７０５はその名の通り着信拒否電話帳として機能するもので、予め拒否設定される。登録は通常の電話帳登録手段および着信表示、着信履歴ファイル７０９または発信履歴ファイル７１０の表示画面から登録モードを選択して次に着信拒否電話帳ファイル７０５を選択することで実行される。登録内容は名前・電話番号またはメールアドレスである。着信拒否電話帳ファイル７０５は呼び出し発信することが余りないのでそのまま登録するだけでよい。また相手番号登録欄には電話番号とメールアドレスのどちらでも書き込み可能である。以降着信拒否電話帳ファイルの呼び出しは暗証番号７０１を入力して一致した時のみ呼び出し可能である。着信拒否電話帳ファイル７０５には着信履歴ファイルと発信履歴ファイルは有していない。着信拒否電話帳ファイル７０５に登録の相手からの電話の着信、およびメールの受信は拒否される。
【００２８】
図８のシークレットグループ８０２について説明する。シークレットグループ８０２は電話帳ファイルが一つの時グループ番号の何れかに予めシークレット設定され、最も大切な相手を他人に知られないようにするための電話帳ファイルである。登録は通常の電話帳登録手段および着信表示、着信履歴ファイル８０９または発信履歴ファイル８１０の表示画面から登録モードを選択して次にシークレットグループ８０２を選択することで実行される。登録内容は名前・電話番号・メールアドレス・フリガナ・住所・生年月日・メモである。シークレット登録の相手との通話記録はシークレット着信履歴ファイル８０３またはシークレット発信履歴ファイル８０４に自動的に記録される。以降シークレット着信履歴ファイル８０３、シークレット発信履歴ファイル８０４およびシークレットグループ８０２の呼び出しは暗証番号８０１を入力して一致した時のみ呼び出し可能となる。
【００２９】
図８の着信拒否グループ８０５について説明する。着信拒否グループ８０５は電話帳ファイルが一つの時グループ番号の何れかに予め着信拒否設定される。登録は通常の電話帳登録手段および着信表示、着信履歴ファイル８０９または発信履歴ファイル８１０の表示画面から登録モードを選択して次に着信拒否グループ８０５を選択することで実行される。登録内容は名前・電話番号またはメールアドレスである。着信拒否グループ８０５の呼び出しは暗証番号８０１を入力して一致した時のみ呼び出しが可能となる。着信拒否グループ８０５は呼び出し発信することが余りないのでそのまま登録するだけでよい。また相手番号登録欄には電話番号とメールアドレスのどちらでも書き込み可能である。着信拒否グループ８０５には着信履歴ファイルと発信履歴ファイルは有していない。着信拒否グループ８０５に登録の相手からの電話の着信、およびメールの受信は拒否される。
【００３０】
図２、図３を用いて電話帳のコピーまたは転送について説明する。書式「中」の内容を書式「大」にコピーまたは転送した時は全内容がそのまま実行される。例えば書式「中」のメモリ番号１０３をコピーしたときはメモリ番号００７を付与して名前・電話番号・メールアドレス・フリガナが書式「大」にそのまま実行される。図３のメモリ番号１０３はコピー元のデータで、図２のメモリ番号００７はコピー先のデータである。逆に書式「大」の内容を書式「小」にコピーまたは転送する時は書式「小」に該当する内容はそのまま実行されるが、該当しない部分例えばフリガナ・住所・生年月日・メモは削除して実行される。また書式「小」の電話番号とメールアドレスが兼用であるので電話番号またはメールアドレスのどちらかがコピーまたは転送が実行される。どちらが実行されるかは予め設定しておく必要があり、取扱説明書等に明記しておくものとする。
【００３１】
図７のシークレット履歴ファイルについて説明する。シークレット履歴ファイルにはシークレット着信履歴ファイル７０４とシークレット発信履歴ファイル７０５があり、シークレット登録の相手との通話内容が記録されるものである。通話内容とは通話日時と通話時間等である。シークレット着信履歴ファイル７０４およびシークレット７０５の呼び出しは暗証番号７０１を入力して一致した時のみ呼び出しが可能である。
【００３２】
図７の着信許可電話帳ファイル７０６について説明する。着信許可設定とはある特別な状況下において一般的な電話は拒否しつつ特別な相手の着信を受けようとするものである。通常の電話帳登録手段および着信表示、着信履歴ファイル７０９または発信履歴ファイル７１０の表示画面から登録モードを選択して次に着信許可電話帳ファイルを選択することで実行される。着信許可履歴ファイル７０７および着信許可電話帳ファイル７０６の呼び出しは暗証番号７０１を入力して一致した時のみ呼び出し可能となる。着信許可電話帳ファイル７０６に登録の相手との通話記録は着信許可履歴ファイル７０７に自動的に記録される。またグループ番号３１、３２、３３……を付与しているのでグループ番号による呼び出しも可能である。
【００３３】
図６について説明する。図６は電話帳の書式に発信日時と着信日時の登録欄を設けその部分を表わしたもので電話帳の登録者ごとに最新の通話記録を表わしたものである。
【００３４】
図９の着信表示判定プログラム１１４ｂについて説明する。着信表示判定プログラム１１４ｂとは、着信時電話帳未登録かの判別と、発信者番号通知有無の判別と、呼び出し時間の測定機能と、着信拒否設定の相手かの判別機能を備え、電話帳に未登録で、発信者番号通知有り、呼び出し時間が一秒程度の短時間の時、および着信拒否設定の相手からの着信時は表示部に着信表示をしない、また着信履歴にも記録しないようにする機能のことである。ここで、着信拒否設定の相手とは本発明における着信拒否グループ８０５および着信拒否電話帳ファイル７０５に登録の相手のことである。図９のステップに従って説明する。Ｓ９０２で着信を受けるとＳ９０３で電話帳未登録かを判別し、ＹＥＳの時はＳ９０４で発信者番号通知が有るかを判別し、ＹＥＳならＳ９０５で呼び出し時間を測定し一秒程度未満ならＳ９０６で着信表示をしない、また着信履歴ファイルに記録しないようにしたものである。またＳ９０３の判定でＮＯ（電話帳登録あり）の時はＳ９０７で着信拒否設定されているかを判別しＮＯ（着信拒否設定なし）なら着信表示を行い、また着信履歴ファイルにも記録される。またＳ９０７でＹＥＳ（着信拒否設定あり）ならＳ９０６に進む。本着信表示判定プログラムは、業者が不特定多数の携帯電話機に発信して直ぐ（一秒程度未満）発信を切り、相手の携帯電話機の表示部に「着信あり　　電話番号０３−○○○○―○○○○」を表示させて、返信電話をかけてきた相手に公序良俗を乱す商行為に対して阻止する目的で着信表示をしない、または着信履歴ファイルに記録しないようにして、間違って返信電話をかけることのないようにしたものである。
【００３５】
本説明で、「予め○○○○設定」をしての意味は工場出荷時に統一して説明しているが、ユーザーが購入後設定しても良いものである。また着信表示判定プログラム１１４ｂの判定の手順を本説明と違えても結果は同じなので、手順は問わないものとする。
【００３６】
【発明の効果】
以上説明したように本発明によれば、登録内容の大きさに応じた電話帳ファイルを作ることができる。登録内容が大きい時は書式「大」に、中くらいの時は「中」に、小さい時は「小」に記録することができる。これによって従来５０万文字分の容量が必要であったものが本発明では約１５万文字程度に削減することができる。携帯電話機のメモリは高額部品の一つでそのメモリ容量の削減はコストダウンまたは効率化において大きな効果である。また書式「大」の登録内容を限りなく大きくしても書式「大」の容量が増えるだけで全体としては余り増加しないことも大きな特徴である。またシークレット電話帳ファイル、シークレットグループ、着信拒否電話帳ファイル、着信拒否グループ、着信許可電話帳ファイル、着信許可グループへの登録はそのまま選択するだけで登録が可能で、従来のように登録のたびに暗証番号を入力する必要がない。またこれらの登録が一つのファイルにまとまって記録されるので一覧表示できるなど使い易さに優れている。また電話帳登録者ごとに発信、着信の最新の記録が表示され、定期的に連絡を取り合うことができる。また見知らぬ相手からのいわゆる「ワン切りコール」に間違って発信することが避けられる。
【図面の簡単な説明】
【図１】本発明の一実施形態に係る携帯電話機の構成を示すブロック図である。
【図２】本発明の一実施形態に係る書式「大」のシークレット電話帳ファイルの図である。
【図３】本発明の一実施形態に係る書式「中」の通常電話帳ファイルの図である。
【図４】本発明の一実施形態に係る書式「小」の着信電話帳ファイルの図である。
【図５】本発明の一実施形態に係る書式「大」、「中」、「小」の組み合せ図である。
【図６】本発明の一実施形態に係る電話帳ファイルの図である。
【図７】本発明の一実施形態に係る複数電話帳ファイルの系統図である。
【図８】本発明の一実施形態に係る単数個の電話帳ファイルの系統図である。
【図９】本発明の一実施形態に係る着信表示判定プログラムである。
【符号の説明】
１０１　　アンテナ
１０２　　アンテナ共用器
１０３　　受信部
１０４　　発信部
１０５　　制御部
１０６　　音声部
１０７　　スピーカ
１０８　　マイク
１０９　　バイブレータ
１１０　　駆動回路
１１１　　　　内蔵電池
１１２　　　　メモリ
１１３　　　　ＳＲＡＭ（Ｓｔａｔｉｃ　Ｒａｎｄｏｍ　Ａｃｃｅｓｓ　Ｍｅｍｏｒｙ）
１１４　　　　ＦＲＯＭ（Ｆｌａｓｈ　Ｒｅａｄ　Ｏｎｌｙ　Ｍｅｍｏｒｙ）
１１４ａ　　電話帳／履歴ファイル
１１４ｂ　　着信表示判定プログラム
１１５　　　　ＤＲＡＭ（Ｄｙｎａｍｉｃ　Ｒａｎｄｏｍ　Ａｃｃｅｓｓ　Ｍｅｍｏｒｙ）
１１６　　表示部
１１７　　　　操作入力部
１１８　　電源ＩＣ
１１９　　ベースバンドＩＣ
１２０　　時計ＩＣ
１２１　　　水晶
１２２　　　　ＦＥＴ
１２３　　　　充電アダプター
１２４　　　　電池パック
【図１】
2004048412.tif 000003
【図２】
2004048412.tif 000004
【図３】
2004048412.tif 000005
【図４】
2004048412.tif 000006
【図５】
2004048412.tif 000007
【図６】
2004048412.tif 000008
【図７】
2004048412.tif 000009
【図８】
2004048412.tif 000010
【図９】
2004048412.tif 000011